(57)【要約】【課題】掃除機内の粉塵を除去する際に生じる粉塵の飛散を抑制するとともに、集塵部内の粉塵の付着を軽減させる。また粉塵に含まれる臭いを消臭又は減臭することにより、掃除機からの排気を無臭又は減臭させる。【解決手段】植物精油と有機物系抗菌剤とカチオン系抗菌剤を含む溶液を多孔性担体に含浸させた粒状物２で構成されている。植物精油はユーカリ系香料であり、前記溶液の溶剤はエチルアルコールと流動パラフィンであり、前記担体粒は多孔性セルロース粒が好ましい。さらに粒状物２は、有機物系抗菌剤：０．０１〜１０ｇ、カチオン系抗菌剤：０．０１〜１０ｇ、エチルアルコール：１〜１０ｇ、流動パラフィン：１０〜１００ｇ、ユーカリ系香料：１〜３０ｇ、多孔性セルロース粒：１００ｇの組成物であることが好ましい。粒状物２は、不織布等の通気性の袋体１に収納する。このような粉塵飛散抑制剤は、掃除機の集塵部に入れて使用する。【選択図】図１
2012082335.tif 000002
【特許請求の範囲】
【請求項１】
植物精油と有機物系抗菌剤とカチオン系抗菌剤を含む溶液を多孔性担体に含浸させた粒状物であることを特徴とする粉塵飛散抑制剤
【請求項２】
前記植物精油はユーカリ系香料であり、前記溶液の溶剤はエチルアルコールと流動パラフィンであり、前記担体粒は多孔性セルロース粒であることを特徴とする請求項１に記載の粉塵飛散抑制剤。
【請求項３】
前記粒状物は、有機物系抗菌剤：０．０１〜１０ｇ、カチオン系抗菌剤：０．０１〜１０ｇ、エチルアルコール：１〜１０ｇ、流動パラフィン：１０〜１００ｇ、ユーカリ系香料：１〜３０ｇ、多孔性セルロース粒：１００ｇの組成物であることを特徴とする請求項１又は２に記載の粉塵飛散抑制剤。
【請求項４】
前記粒状物を通気性の袋体に収納したことを特徴とする請求項１〜３のいずれかに記載の粉塵飛散抑制剤。
【請求項５】
前記袋体は不織布であることを特徴とする請求項４に記載の粉塵飛散抑制剤。
【請求項６】
前記粉塵飛散防止剤は、掃除機の集塵部に入れて使用するものであることを特徴とする請求項１〜５のいずれかに記載の粉塵飛散抑制剤。
【発明の詳細な説明】
【技術分野】
【０００１】
本発明は、主として掃除機の集塵部に入れて使用する粉塵飛散抑制剤に関するものである。
【背景技術】
【０００２】
サイクロン方式の掃除機は、吸引した空気を高速回転させ、その遠心力で粉塵と空気を分離しており、ダストボックス（集塵部）内に集塵した粉塵物を除去する際に周囲に粉塵が飛散するという問題がある。またダストボックス内面や排気フィルターに粉塵が付着し、目詰まりの原因になる等の問題がある。さらに粉塵に含まれる臭いが掃除機から排気臭として放出されるため不快感があるという問題がある。
【０００３】
従来、粉塵飛散防止剤としてゴミ焼却炉から排出された固体廃棄物にゴムを含有させたもの（特許文献１）、エマルジョンと塩類又はアルカリ剤を混練したもの（特許文献２）、エマルジョンにスルホコハク酸アルキル又はその塩を含有させたもの（特許文献３）などが知られているが、これらは産業廃棄物の処理、土壌改良等を目的としたものであり、掃除機の粉塵飛散抑制、抗菌、防臭等を目的とした粉塵飛散抑制剤として満足できるものはいまだ提案されていない。
【先行技術文献】
【特許文献】
【０００４】
【特許文献１】特開２００５−１４４２４８号公報
【特許文献２】特開２００４−８８９７号公報
【特許文献３】特開２００８−３０８５３２号公報
【発明の概要】
【発明が解決しようとする課題】
【０００５】
本発明は、このような課題を解決するために提案されたものであり、掃除機内の粉塵を除去する際に生じる粉塵の飛散を抑制するとともに、集塵部内の粉塵の付着を軽減させることを目的とする。
また粉塵に含まれる臭いを消臭又は減臭することにより、掃除機からの排気を無臭又は減臭させることを目的とする。
【課題を解決するための手段】
【０００６】
上記課題を解決するため、請求項１の発明の粉塵飛散抑制剤にあっては、植物精油と有機物系抗菌剤とカチオン系抗菌剤を含む溶液を多孔性担体に含浸させた粒状物であることを特徴とする。
【０００７】
ここでの植物精油は特に限定されるものではなく、下記するユーカリ系香料のほかにヒノキ、ヒバ、レモン、ペパーミント、ジャスミン等の香料を使用することができる。これらは香料として使用されるばかりでなく、抗菌、脱臭効果等を有するものを使用することができる。また、ここでの有機物系抗菌剤には、合成有機物系抗菌剤、天然有機物系抗菌剤が含まれる。多孔性担体は、下記する多孔性セルロースのほかに、ポリエチレン、ポリプロピレン、セラミック等の多孔性担体を使用できる。
【０００８】
また請求項２の発明にあっては、前記植物精油はユーカリ系香料であり、前記溶液の溶剤はエチルアルコールと流動パラフィンであり、前記担体粒は多孔性セルロース粒であることを特徴とする。
【０００９】
ユーカリ系香料は芳香性、抗菌性、防臭性等に優れている。流動パラフィンは湿潤性（しっとり感）を高めて粉塵を捕捉し、塊状の粉塵とすることにより粉塵の飛散を防止することができる。多孔性セルロース粒は、前述の成分を含む溶液を多数の孔に含浸、担持する。
【００１０】
また請求項３の発明にあっては、前記粒状物は、有機物系抗菌剤：０．０１〜１０ｇ、カチオン系抗菌剤：０．０１〜１０ｇ、エチルアルコール：１〜１０ｇ、流動パラフィン：１０〜１００ｇ、ユーカリ系香料：１〜３０ｇ、多孔性セルロース粒：１００ｇの組成物であることを特徴とする。
【００１１】
これらの配合比率とすることにより、粒状物による粉塵の捕捉性、抗菌性、防臭性等の機能を最適に維持することができ、掃除機の集塵部の抗菌性、防臭性等も維持できる。
【００１２】
また請求項４の発明にあっては、前記粒状物を通気性の袋体に収納したことを特徴とする。
【００１３】
複数個の前記粒状物を収納した通気性袋体を掃除機の集塵部に入れておくことにより、その効能を長期間維持することができ、回収も容易となる。
【００１４】
また請求項５の発明にあっては、前記袋体は不織布であることを特徴とする。
【００１５】
不織布の素材は特に限定されないが、ポリエステル、ポリプロピレン、エチレン酢酸ビニル等、通気性、耐久性等に優れたものが使用される。
【００１６】
また請求項６の発明にあっては、前記粉塵飛散防止剤は、掃除機の集塵部に入れて使用するものであることを特徴とする。
【００１７】
掃除機は、集塵袋を使用せずに遠心力で粉塵を分離するサイクロン方式の掃除機が効果的であるが、特にこれに限定されるものではない。
【発明の効果】
【００１８】
本発明によれば、掃除機内の粉塵を除去する際に生じる粉塵の飛散を抑制するとともに、集塵部内の粉塵の付着を軽減させることができる。また粉塵に含まれる臭いを消臭又は減臭することにより、掃除機からの排気を無臭又は減臭させることができる。
【図面の簡単な説明】
【００１９】
【図１】本発明の粉塵飛散防止剤の一部切欠概略図である。
【発明を実施するための形態】
【００２０】
図１は、本発明の粉塵飛散防止剤の一例を示したものであり、１は不織布製の袋体であり、チューブ状の袋体の両端部３，３をシールして密封袋としている。この袋体１には粉塵飛散抑制剤を構成する多数の粒状物２が収納されている。
【００２１】
粒状物２は、以下の組成物から構成されている。
多孔性セルロース粒：１００ｇ
ユーカリミント香料：１〜３０ｇ
チノザンＨＰ−１００（有機物系抗菌剤）：０．０１〜１０ｇ
カチオンＥＫ−０１Ｄ（カチオン系抗菌剤）：０．０１〜１０ｇ
エチルアルコール：１〜１０ｇ
流動パラフィン：１０〜１００ｇ
【００２２】
前記粉塵飛散防止剤をサイクロン式掃除機のダストボックス（集塵部）内に入れ、掃除機を使用すると、通気性袋体１内の粒状物１に担持された各成分が袋外に徐放される。即ち、抗菌剤は粉塵の除菌を行うと共にダストボックスの内面に抗菌膜を形成する。またユーカリミント香料は香りを放出すると共に、粉塵及びダストボックス内を除菌、消臭する。
【００２３】
また流動パラフィンは、袋体１の表面から徐々に浸出してダストボックス内に集塵された粉塵及びダストボックス内面に付着した粉塵を捕捉し、塊状に集めることができる。
【００２４】
このように、本発明の粉塵飛散防止剤を掃除機に使用することにより、掃除機内のダストボックス内の粉塵を除去する際に生じる粉塵の飛散を抑制するとともに、ダストボックス内の粉塵の付着を軽減させることができる。また粉塵に含まれる臭いを消臭又は減臭することにより、掃除機からの排気を無臭又は減臭させることができる。
【符号の説明】
【００２５】
１は袋体
２は粒状物
３はシール部
【図１】
2012082335.tif 000003